(57)【要約】【課題】障子を備えた開口部装置であって、障子が単層構造であるか複層構造であるかに拘わらず生産性の向上や生産コストの低減を図り易い開口部装置を提供する。【解決手段】障子を構成する框の長手方向端部に固定されるコーナー部材４０の形状を、見付け方向および見込み方向の移動を規制された状態で前記框の長手方向端部に仮固定することができる形状にすると共に、該仮固定の後においても前記見付け方向へスライドすることを可能にする領域５５を前記コーナー部材に設け、前記框の長手方向端部を他の框にネジ止めする際にコーナー部材が一緒にネジ止めされるようにする。【選択図】    図３
2004190279.tif 000002
【特許請求の範囲】
【請求項１】
少なくとも１枚の障子と、該障子が取り付けられる枠体とを備え、前記障子が、金属製の框本体の室内側表面を樹脂材で覆った複合框を有していると共に、前記複合框のうちの少なくとも１本の長手方向端部に固定されて該複合框を構成している框本体および樹脂材それぞれの長手方向端部を覆うコーナー部材を有している開口部装置であって、
前記コーナー部材は、見付け方向および見込み方向の移動を規制された状態で前記複合框の長手方向端部に仮固定することができる形状を有していると共に、該仮固定の後においても前記見付け方向へスライドすることを可能にする領域を有しており、前記複合框の長手方向端部を他の複合框にネジ止めする際に一緒にネジ止め可能であることを特徴とする開口部装置。
【請求項２】
少なくとも１枚の障子と、該障子が取り付けられるガイドレールを上枠および下枠に有する枠体とを備え、前記障子が、金属製の框本体の室内側表面を樹脂材で覆った複合框を有していると共に、前記複合框のうちの少なくとも１本の長手方向端部に固定されて該複合框を構成している框本体および樹脂材それぞれの長手方向端部を覆うコーナー部材を有している開口部装置であって、
前記コーナー部材は、見付け方向および見込み方向の移動を規制された状態で前記複合框の長手方向端部に仮固定することができる形状、前記仮固定の後においても前記見付け方向へスライドすることを可能にする領域、および、前記ガイドレールの厚さ方向への該障子の変位を抑制する振れ止め部を有しており、前記複合框の長手方向端部を他の複合框にネジ止めする際に一緒にネジ止め可能であることを特徴とする開口部装置。
【発明の詳細な説明】
【０００１】
【発明の属する技術分野】
本発明は、枠体と、当該枠体に取り付けられた障子とを備えた開口部装置に係り、特に、前記障子が、金属製の框本体の室内側表面を樹脂材で覆った複合框を有している開口部装置に関する。
【０００２】
【従来の技術】
近年、建具には高い気密性、水密性、遮音性、断熱性等が求められるようになり、これらの要求を満たすために、特に窓として利用される建具の多くでは、建物に枠体を取り付け、この枠体に所望数の障子を取り付けた構造となっている。本明細書では、枠体と当該枠体に取り付けられた少なくとも１つの障子とを備えた建具を「開口部装置」という。
【０００３】
上記の枠体は、一般に、アルミニウム等の金属によって形成され、障子を構成する縦框および横框（桟）は、金属、木、または樹脂によって形成される。気密性および水密性を考慮すると、障子の框は金属製とすることが望まれるが、金属は熱伝導率が高いため、障子の框を金属製にすると開口部装置の断熱性が比較的低くなる。また、結露が生じ易くなる。
【０００４】
開口部装置の気密性および水密性を高く維持したまま当該開口部装置の断熱性および防露性を高める一法として、障子を構成する框のうちの少なくとも３本を、金属製の框本体の室内側表面を樹脂材で覆った複合框にするという方法が知られている。また、障子の構造を、見込み方向に２枚のガラスパネルが互いに離隔して配置された複層構造にするという方法が知られている。
【０００５】
障子の框を複合框にした開口部装置では、複合框を構成する框本体よりも樹脂材の方が大きな熱膨張率および熱収縮率を有していることから、温度変化に伴って框本体よりも樹脂材の方が長手方向に大きく膨張ないし収縮する。樹脂材が長手方向に大きく収縮すると、複合框の長手方向端部において框本体が露出することとなり、開口部装置の意匠性ないし外観を損なう。
【０００６】
このため、障子の框を複合框とした開口部装置の多くでは、樹脂材が大きく熱収縮したときでも框本体が視認されるのを防止することができるコーナー部材を、所定の障子における４隅のうちの少なくとも２つに固定している。例えば、１組の引き違い戸を備えた開口部装置であれば、内障子における召し合わせ框または戸先框の上下に、上述のコーナー部材が固定される。
【０００７】
障子に上述のコーナー部材を固定する場合、当該コーナー部材を所定の框の一端に固定するだけで、当該框における框本体および樹脂材それぞれの長手方向端部と、当該框に接続される他の框における框本体および樹脂材それぞれの長手方向端部とを覆うことができれば、障子、ひいては開口部装置の生産性を高め、かつ、生産コストを低減させることが容易になる。
【０００８】
しかしながら、複層構造の障子によって構成された引き違い戸を備えた開口部装置では、個々の障子の見込み幅が大きくなる一方で、枠体の上下にそれぞれ配置される２本のガイドレールの間隔は、単層の障子によって引き違い戸が構成されている開口部装置における２本のガイドレールの間隔と略同じに保たれるため、次のような問題が生じる。
【０００９】
すなわち、個々の障子の上框では、上枠側での見込みの方が下枠側での見込みよりも小さくなり、下框では、下枠側での見込みの方が上枠側での見込みよりも小さくなるため、１つのコーナー部材によって２つの複合框それぞれの長手方向端部を覆おうとすると、障子を組み立てる際の作業手順が限定される。例えば、所定の複合框（以下、「第１の複合框」ということがある。）にコーナー部材を固定する場合、第１の複合框にコーナー部材を固定した段階で当該コーナー部材が第１の複合框から見付け方向に大きく突出するので、第１の複合框に接続される他の複合框（以下、「第２の複合框」ということがある。）は、第１の複合框にコーナー部材を固定する前にガラスパネルに固定しておくことが必要となる。あるいは、第１の複合框にコーナー部材を固定する前に、第１の複合框と第２の複合框とにガラスパネルを固定しておくことが必要となる。
【００１０】
このような作業手順の限定は、障子を組み立てる作業者に無用の制約を課すものであり、作業効率低下の要因となる。
【００１１】
このため、障子が複層構造を有し、かつ、当該障子が複合框を有している場合には、第１の複合框の一端に固定したコーナー部材によっては、実質的に第１の複合框における框本体および樹脂材の長手方向端部のみを多い、第１の複合框と第２の複合框との境界部はキャップ状の隙間隠し部材によって覆う、という方法がとられる。
【００１２】
ところで、引き戸として使用される障子を備えた開口部装置では、障子がガイドレールの厚さ方向に変位すると立て付け悪化の要因となるので、例えば特許文献１または特許文献２に記載されているように、当該変位を抑制するための振れ止め部材が所定の框に装着される。この振れ止め部材は、障子が複合框を有しているか否かに拘わらず、また、障子が複層構造を有しているか否かに拘わらず、一般に使用される。
【００１３】
【特許文献１】
特許第２８７２０７３号公報
【特許文献２】
特開平１０−３１７８０８号公報
【００１４】
【発明が解決しようとする課題】
上述のようにコーナー部材と隙間隠し部材とを互いに別個の部材にすると、障子の部品点数が多くなるので、障子、ひいては開口部装置の生産性の向上や生産コストの低減を図りづらい。同様に、コーナー部材と振れ止め防止部材とを互いに別個の部材とした場合も、障子、ひいては開口部装置の生産性の向上や生産コストの低減を図りづらい。
【００１５】
そこで、本発明は、障子を備えた開口部装置であって、障子が単層構造であるか複層構造であるかに拘わらず生産性の向上や生産コストの低減を図り易い開口部装置を提供することを課題とする。
【００１６】
【課題を解決するための手段】
以下、本発明について説明する。以下の説明では、本発明の理解を容易にするために添付図面中の参照符号を括弧書きで付記するが、それによって本発明が図示の形態に限定されるものではない。
【００１７】
本発明の第１の態様では、少なくとも１枚の障子（２０、６０）と、該障子が取り付けられる枠体（１０）とを備え、前記障子が、金属製の框本体（２２Ａ、２４Ａ、６３Ａ）の室内側表面を樹脂材（２２Ｂ、２４Ｂ、６３Ｂ）で覆った複合框（２１〜２４、６１〜６３）を有していると共に、前記複合框のうちの少なくとも１本の長手方向端部に固定されて該複合框を構成している框本体および樹脂材それぞれの長手方向端部を覆うコーナー部材（３０、４０）を有している開口部装置（７０）であって、前記コーナー部材は、見付け方向および見込み方向の移動を規制された状態で前記複合框の長手方向端部に仮固定することができる形状を有していると共に、該仮固定の後においても前記見付け方向へスライドすることを可能にする領域（５５）を有しており、前記複合框の長手方向端部を他の複合框にネジ止めする際に一緒にネジ止め可能であることを特徴とする開口部装置を提供して、上記の課題を解決する。
【００１８】
コーナー部材に上記の領域を設けることにより、所定の複合框の長手方向端部に当該コーナー部材を仮固定した段階では、この複合框から見付け方向にコーナー部材が殆ど突出しないようにすることが可能になる。そして、コーナー部材が複合框から見付け方向に殆ど突出していなければ、たとえ障子が複層構造を有していたとしても、当該障子を組み立てる際の作業手順を特定の手順に限定する必要がないので、作業効率の低下を抑制することができる。
【００１９】
また、コーナー部材の仮固定後に当該コーナー部材を見付け方向にスライドさせることができるので、１つのコーナー部材によって、当該コーナー部材の仮固定対象である複合框における框本体および樹脂材それぞれの長手方向端部と、当該仮固定対象の複合框に接続される他の複合框における框本体および樹脂材それぞれの長手方向端部とを覆うことが可能になる。そのため、当該コーナー部材とは別に隙間隠し部材を用いることが不要になり、部品点数および工数を低減することができる。
【００２０】
さらに、上記仮固定対象の複合框を他の複合框にネジ止めする際にコーナー部材を一緒にネジ止めすることができるので、部品点数（使用するネジの本数）を増加させることがない。
【００２１】
これらの理由から、第１の態様の開口部装置では、生産性の向上や生産コストの低減を図り易い。
【００２２】
本発明の第２の態様では、少なくとも１枚の障子（２０、６０）と、該障子が取り付けられるガイドレール（２ａ、２ｂ、４ａ、４ｂ）を上枠（１）および下枠（３）に有する枠体（１０）とを備え、前記障子が、金属製の框本体（２２Ａ、２４Ａ、６３Ａ）の室内側表面を樹脂材（２２Ｂ、２４Ｂ、６３Ｂ）で覆った複合框（２１〜２４、６１〜６４）を有していると共に、前記複合框のうちの少なくとも１本の長手方向端部に固定されて該複合框を構成している框本体および樹脂材それぞれの長手方向端部を覆うコーナー部材（３０、４０）を有している開口部装置（７０）であって、前記コーナー部材は、見付け方向および見込み方向の移動を規制された状態で前記複合框の長手方向端部に仮固定することができる形状、前記仮固定の後においても前記見付け方向へスライドすることを可能にする領域（５５）、および、前記ガイドレールの厚さ方向への該障子の変位を抑制する振れ止め部（５９Ａ）を有しており、前記複合框の長手方向端部を他の複合框にネジ止めする際に一緒にネジ止め可能であることを特徴とする開口部装置を提供して、上記の課題を解決する。
【００２３】
この態様の開口部装置では、上述した第１の態様の開口部装置と同様の理由から生産性の向上や生産コストの低減を図り易い。さらに、コーナー部材とは別部材として振れ止め防止部を設ける必要がないので、この点からも、生産性の向上や生産コストの低減を容易に図ることができる。
【００２４】
なお、本明細書でいう「室内側」とは、開口部装置が取り付けられる実際の建造物での室内側を意味するのみならず、建造物に開口部装置を取り付ける際に室内側に向けられるべき片側をも意味する。本明細書でいう「室外側」についても同様である。
【００２５】
本発明による上述の作用および利得は、次に説明する実施の形態から明らかにされる。
【００２６】
【発明の実施の形態】
以下、本発明に係る実施形態について、図面を参照しつつ詳述する。
図１（Ａ）は、本発明の一実施形態による開口部装置７０が閉められているときに当該開口部装置７０を室内側から正面視したときの概略図であり、図１（Ｂ）は、図１（Ａ）に示した障子２０を概略的に示す正面図である。
【００２７】
図１（Ａ）に示すように、開口部装置７０は、上枠１、下枠３、および左右の縦枠５、７によって構成される枠体１０と、枠体１０に取り付けられた２枚の障子２０、６０とを備えており、２枚の障子２０、６０は引き違い戸を構成している。障子２０が内障子であり、障子６０が外障子である。
【００２８】
図示のように、障子２０は、上框２１と、下框２２と、戸先框２３と、召し合わせ框２４と、これらの框に固定された複層構造のガラスパネル２５と、召し合わせ框２４の上端に固定された第１コーナー部材３０と、召し合わせ框２４の下端に固定された第２コーナー部材４０とを有している。同様に、障子６０は、上框６１、下框６２、戸先框６３、召し合わせ框６４（この框は、召し合わせ框２４と召し合っているため、図１（Ａ）には現れていない。）、および、これらの框に固定された複層構造のガラスパネル６５を有している。障子２０と障子６０との召し合わせ部には、戸締まりのためのクレセント６５が取り付けられている。
【００２９】
個々の障子２０、６０はいずれも引き戸であり、開閉するにあたっては、戸先框２３、６３および召し合わせ框２４、６４それぞれの見付け方向へスライドされる。図１（Ａ）においては、前記の見付け方向を矢印Ａで示している。同図中の矢印Ｂは、各上框２１、６１および各下框２２、６２の見付け方向を示している。
【００３０】
図２は、開口部装置７０を縦枠５側から見たときの枠体１０と障子２０、６０との関係を概略的に示す。なお、図２には縦枠５が現れていない。
同図に示すように、上枠１は、２本のガイドレール２ａ、２ｂを有する第１上枠１Ａと、当該第１上枠１Ａに接合されて室内側に張り出した第２上枠１Ｂとを有している。また下枠３は、２本のガイドレール４ａ、４ｂを有する第１下枠３Ａと、当該第１下枠３Ａに装着されて室内側に張り出した第２下枠３Ｂとを有している。
【００３１】
障子２０の上部には見付け方向Ａに延在する第１溝２６ａが、また、下部には見付け方向Ａに延在する第２溝２６ｂが形成されており、第２溝２６ｂ内には例えば２個の戸車２７（図２においては、１個の戸車２７のみが現れている。）が取り付けられている。同様に、障子６０の上部には見付け方向Ａに延在する第１溝６６ａが、また、下部には見付け方向Ａに延在する第２溝６６ｂが形成されており、第２溝６６ｂ内には例えば２個の戸車６７（図２においては、１個の戸車６７のみが現れている。）が取り付けられている。
【００３２】
第１コーナー部材３０は、ネジ２９ａによって召し合わせ框２４に固定され、召し合わせ框２４と上框２１とは、前記のネジ２９ａによって互いに接続されている。また、第２コーナー部材４０は、ネジ２９ｂによって召し合わせ框２４に固定され、召し合わせ框２４と下框２２とは、前記のネジ２９ｂによって互いに接続されている。
【００３３】
障子２０は、第１溝２６ａ内にガイドレール２ａの下端が入り、戸車２７がガイドレール４ａに載るようにして枠体１０に取り付けられており、障子６０は、第１溝６６ａ内にガイドレール２ｂの下端が入り、戸車６７がガイドレール４ｂに載るようにして枠体１０に取り付けられている。
【００３４】
遮音性や気密性を高めるために、上框２１には、ガイドレール２ａを当該ガイドレール２ａの厚さ方向両側から挟むようにして２つの第１タイト材２８が配置され、上框６１（図１（Ａ）参照）には、ガイドレール２ｂを当該ガイドレール２ｂの厚さ方向両側から挟むようにして２つの第２タイト材６８が配置されている。また、戸先框６３の見込みには、エラストマ等の弾性材料によって形成された気密材６９Ａが配置されている。障子２０の戸先框２３にも、気密材６９Ａと同様の気密材が配置されている。さらに、召し合わせ框６４の室内側表面には、召し合わせ框２４と召し合ったときに当該召し合わせ框２４の外側表面に密着する第３タイト材６９Ｂが配置されている。
【００３５】
また、断熱性および防露性を高めるために、各障子２０、６０を構成する框は、召し合わせ框６４を除き、アルミニウム等の金属によって形成された框本体と、框本体の室内側表面を覆うようにして当該框本体に装着された樹脂材とを有する複合框となっている。召し合わせ框２４においては、第１コーナー部材３０が配置されている箇所および第２コーナー部材４０が配置され散る箇所を共に除き、樹脂材の一面が当該召し合わせ框２４における縦枠５側の見込みを形成している。なお、図２においては、戸先框６３を構成している框本体を参照符号６３Ａで示し、当該框本体６３Ａに装着されている樹脂材を参照符号６３Ｂで示している。
【００３６】
図２には示されていないが、縦枠５は、障子６０を閉めたときに気密材６９Ａに当接して気密性を高める気密壁を有しており、縦枠７は、障子２０を閉めたときに戸先框２３中の気密材に当接して気密性を高める気密壁を有している。いずれの気密壁も、縦枠５または縦枠７から開口部装置７０の内側に向かって突出している。
【００３７】
上述した構造を有する開口部装置７０は、召し合わせ框２４に固定されている第１コーナー部材３０および第２コーナー部材４０それぞれの構造に最大の特徴を有している。以下、これら第１コーナー部材３０および第２コーナー部材４０の構造について、図３〜図８を参照しつつ詳述する。
【００３８】
図３は、第２コーナー部材４０を概略的に示す斜視図であり、障子２０に固定されているときの状態を室内側右斜め上方から見たときのものである。また、図４は、第２コーナー部材４０を概略的に示す他の斜視図であり、障子２０に固定されているときの状態を室外側左斜め上方から見たときのものである
第２コーナー部材４０が取り付けられる召し合わせ框２４（図２参照）の下部においては、框本体の下端よりも樹脂材の下端の方が上方に位置しており、第２コーナー部材４０は、露出している框本体下端に取り付けられる。第２コーナー部材４０を取り付けるために、前記の框本体下端には、第２溝２６ｂの一部となる切欠き部が形成されている。
【００３９】
図３および図４に示すように、第２コーナー部材４０は、障子２０における縦枠５側の見込みの一部となる第１隙間隠し部４１と、当該第１隙間隠し部４１に形成されたネジ孔４３と、第１隙間隠し部４１に連なって室内側に形成されたポーチ部４５と、第１隙間隠し部４１およびポーチ部４５に連なって室内側に形成された第２隙間隠し部４７と、召し合わせ框２４の框本体に当該第２コーナー部材４０を仮固定することを可能にする仮固定部５０とを有している。
【００４０】
第１隙間隠し部４１は、上記露出している框本体の見込みを覆うと共に上記樹脂材の長手方向端部（下端部）も覆い、召し合わせ框２４の樹脂材が熱収縮したときでも上記の框本体が視認されるのを防止する。
【００４１】
また、ポーチ部４５および第２隙間隠し部４７は、上記露出している框本体の見付けを覆うと共に、下框２２を構成している樹脂材の長手方向端部も覆い、下框２２と召し合わせ框２４との境界部が視認されるのを防止する。また、召し合わせ框２４の樹脂材あるいは下框２２の樹脂材が熱収縮したときでも、これらの框の框本体が視認されるのを防止する。
【００４２】
仮固定部５０は、召し合わせ框２４の長手方向への第２コーナー部材４０の移動を規制する第１係合部５１と、召し合わせ框２４の見込み方向への第２コーナー部材４０の移動を規制する２つの第２係合部５２と、召し合わせ框２４の見付け方向への第２コーナー部材４０の移動を規制する２つの第３係合部５３（図３および図４においては現れていない。）と、２つの可逆変形領域５５、５５と、ネジ孔５７と、前述した第２溝２６ｂの一部となる溝部５９とを有している。
【００４３】
第１係合部５１はフック状の部位であり、第２係合部５２および第３係合部はいずれも平板状の部位である。可逆変形領域５５、５５は、例えばエラストマ等の弾性材料によって形成された断面Ｌ字状の領域であり、これらの可逆変形領域５５、５５は、召し合わせ框２４の見付け方向に変形可能である。すなわち、可逆変形領域５５、５５は、コーナー部材４０を仮固定した後に当該コーナー部材４０が見付け方向にスライドすることを可能にする領域として機能する。
【００４４】
召し合わせ框２４に第２コーナー部材４０を仮固定するとき、仮固定部５０は、召し合わせ框２４の框本体における上述の切欠き部から当該框本体内に挿入される。後掲の図５に示すように、召し合わせ框２４の框本体の水平断面形状は、中央部に矩形枠状の領域を有するものであり、当該框本体中の所定の隔壁には、第１係合部５１と互いに係合する係合部（例えば貫通孔）が形成されている。第２係合部５２および第３係合部５３は、それぞれ、前記矩形枠状の形成している隔壁の内側面に当接される。
【００４５】
図５は、召し合わせ框２４に仮固定された第２コーナー部材４０を概略的に示す上面図であり、同図には、第２コーナー部材４０よりも上方での召し合わせ框２４の水平断面、および下框２２も併記されている。
【００４６】
同図に示すように、また上述したように、第２コーナー部材４０は、第１係合部５１、第２係合部５２、および第３係合部５３が召し合わせ框２４の框本体２４Ａと互いに係合することによって、召し合わせ框２４の見込み方向および見付け方向、ならびに召し合わせ框２４の高さ方向への移動が規制される。すなわち、仮固定される。召し合わせ框２４に仮固定された第２コーナー部材４０は、召し合わせ框２４から当該召し合わせ框２４の見付け方向に殆ど突出しない。
【００４７】
なお、図４中の参照符号２４Ｂは、召し合わせ框２４を構成している樹脂材を示し、参照符号２２Ａは、下框２２を構成している框本体を示し、参照符号２２Ｂは、下框２２を構成している樹脂材を示し、参照符号２２ａは、框本体２２Ａに設けられた雌ネジ部を示している。雌ネジ部２２Ａは、樹脂材２２Ｂの上端よりも低い位置に形成された隔壁に設けられている。
【００４８】
図６および図７は、第２コーナー部材４０を召し合わせ框２４に仮固定した後に当該召し合わせ框２４と下框２２とをネジ２９ｂによって互いに接続させる過程を示す。これらの図に示した部材、領域、および部位は、いずれも図５において既に示されているので、図６および図７では図５で用いた参照符号をそのまま引用している。
【００４９】
図６に示したように、ネジ孔４３、５７（ネジ孔５７については図３または図４参照）に挿入したネジ２９ｂを雌ネジ部２２ａに螺合させて召し合わせ框２４と下框２２とを弱く接続した状態では、召し合わせ框２４と第２コーナー部材４０との相対的な位置関係は、召し合わせ框２４に第２コーナー部材４０を仮固定したときの相対的な位置関係から殆ど変化しない。
【００５０】
この後、ネジ２９ｂを更に強く締めると、図７に示すように、第２コーナー部材２４中の可逆変形領域５５が召し合わせ框２４の見付け方向外側に変形して、また、第１係合部が召し合わせ框２４の見付け方向外側に反って、召し合わせ框２４が第２コーナー部材４０に対して相対的に下框２２側に移動する。換言すれば、第２コーナー部材４０が召し合わせ框２４の見付け方向へスライドする。
【００５１】
その結果として、召し合わせ框２４と下框２２とをネジ２９ｂによって互いに接続させ終わった段階では、第２コーナー部材４０のポーチ部４５および第２隙間隠し部４７によって、召し合わせ框２４と下框２２との境界部、および下框２２における樹脂材２２Ｂの長手方向端部を完全に覆うことができる。召し合わせ框２４における樹脂材２４Ｂの長手方向端部（下端部）は、前述のように、第２コーナー部材４０を召し合わせ框２４に仮固定した段階で第１隙間隠し部４１によって既に覆われている。
したがって、樹脂材２４Ｂあるいは樹脂材２２Ｂが大きく熱収縮したとしても、框本体２４Ａや框本体２２Ａが視認されるのを防止することができる。
【００５２】
一方、召し合わせ框２４の上部に固定されている第１コーナー部材３０は、障子２０がガイドレール２ａ（図２参照）の厚さ方向へ変位するのを抑制する振れ止め部を有しているという点、すわなち、振れ止め部材としても機能するという点で、上述の第２コーナー部材４０と異なる。
【００５３】
しかしながら、第１コーナー部材３０の構造は、図８に示すように、溝部５９の側壁５９Ａが振れ止め部として機能し得るように当該溝部５９の幅および深さが調節されている点を除き、第２コーナー部材４０の構造と同様である。したがって、ここでは第１コーナー部材３０についての他の説明を省略する。
【００５４】
以上説明した第１コーナー部材３０および第２コーナー部材４０を有する障子２０では、上述のように第１コーナー部材３０および第２コーナー部材４０の各々が可逆変形領域５５を有しているので、当該障子２０が単層構造であるか複層構造であるかに拘わらず、組み立てる際の作業手順を特定の手順に限定する必要がない。したがって、障子２０が複層構造であるにも拘わらず、当該障子２０を組み立てる際の作業効率の低下を抑制することができる。
【００５５】
また、第１コーナー部材３０および第２コーナー部材４０を召し合わせ框２４に固定すれば、召し合わせ框２４と上框２１との境界部や、召し合わせ框２４と下框２２との境界部に別部材としての隙間隠し部材を装着する必要がなくなるので、部品点数および工数を低減することができる。
【００５６】
さらに、召し合わせ框２４と上框２１とをネジ２９ａ（図２参照）によってネジ止めする際に第１コーナー部材３０を一緒にネジ止めすることができ、召し合わせ框２４と下框２２とをネジ２９ｂによってネジ止めする際に第２コーナー部材４０を一緒にネジ止めすることができるので、障子２０の組み立てに使用するネジの本数を増加させることがない。
【００５７】
したがって、開口部装置７０では、生産性の向上や生産コストの低減を図り易い。また、第１コーナー部材３０が振れ止め部を有していることから、第１コーナー部材３０を設ければ振れ止め部材を別の部材として併用する必要がなくなるので、この点からも、生産性の向上や生産コストの低減を容易に図ることができる。
【００５８】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた、本発明の技術的範囲に包含されるものとして理解されなければならない。
【００５９】
例えば、複合框を構成する樹脂材が熱収縮しても框本体が実質的に露出しない領域や、框本体が露出してもかまわない領域については、コーナー部材によって框本体の視認を防止する必要性が必ずしも生じないので、コーナー部材は、障子の４隅全てに配置しなければならないというものではない。
【００６０】
上述した開口部装置７０では、上框２１における樹脂材および下框２２における樹脂材を戸先框２３側で上框２１または下框２２の框本体に固着させることにより、これらの樹脂材が熱収縮したときに框本体が露出される領域を召し合わせ框２４側の端部に実質的に限定することができるので、戸先框２３については第１コーナー部材３０および第２コーナー部材４０の取り付けを省略することができる。勿論、上框２１における樹脂材および下框２２における樹脂材を召し合わせ框２４側で上框２１または下框２２の框本体に固着させることにより、これらの樹脂材が熱収縮したときに框本体が露出される領域を戸先框２３側の端部に実質的に限定することもでき、この場合には、召し合わせ框２４ではなく戸先框２３に第１コーナー部材３０および第２コーナー部材４０を取り付けることが好ましい。また、意匠性や外観を考慮して、戸先框２３および召し合わせ框２４のそれぞれに第１コーナー部材３０および第２コーナー部材４０を設けることもできる。
【００６１】
引き戸以外の障子については、振れ止めの防止を図る必要がないので、上述した第１コーナー部材３０を省略して、代わりに第２コーナー部材４０を用いることができる。この場合には、第２コーナー部材４０における溝部５９も省略することができる。
【００６２】
第１コーナー部材３０および第２コーナー部材４０を障子の４隅のどこに固定するかは、障子を構成している複合框における樹脂材の固定形態や、開口部装置における障子の開閉形態、障子が内障子であるか外障子であるか等に応じて、適宜選択可能である。
【００６３】
コーナー部材における仮固定部の全体形状（各係合部の形状および配置を含む。）は、当該コーナー部材を仮固定しようとする複合框における框本体の断面形状に応じて適宜選定可能である。
【００６４】
また、仮固定部には、可逆変形領域に代えて不可逆変形領域を設けることができる。不可逆変形領域を設ける場合、当該不可逆変形領域は、コーナー部材を所定の框に仮固定した後のネジ止めの際に不可逆的に変形（破壊を含む。）して、当該框の見付け方向にコーナー部材がスライドするのを可能にするものであればよい。不可逆変形領域を設けた場合には、障子を構成するガラスパネルを新たなものに代えるときに作業手順が限定されるが、障子を最初に作製する際には、作業手順が限定されない。
【００６５】
開口部装置の形態は引き違い戸に限定されるものではなく、単体サッシ、面格子サッシ、網戸付きサッシ、雨戸付きサッシ、飾り窓、内倒し窓、すべり出し窓、出窓、ボウウィンド、扉等、適宜選択可能である。
【００６６】
その他、種々の変更、改良、組み合わせ等が可能なことは当業者に自明であろう。
【００６７】
【発明の効果】
以上説明したように、請求項１記載の開口部装置は、少なくとも１枚の障子と、該障子が取り付けられる枠体とを備え、前記障子が、金属製の框本体の室内側表面を樹脂材で覆った複合框を有すると共に、前記複合框のうちの少なくとも１本の長手方向端部に固定されて該複合框を構成している框本体および樹脂材それぞれの長手方向端部を覆うコーナー部材を有する開口部装置であって、前記コーナー部材が、見付け方向および見込み方向の移動を規制された状態で前記複合框の長手方向端部に仮固定することができる形状を有すると共に、該仮固定の後においても前記見付け方向へスライドすることを可能にする領域を有し、前記複合框の長手方向端部を他の複合框にネジ止めする際に一緒にネジ止めすることが可能な開口部装置であるので、障子が単層構造であるか複層構造であるかに拘わらず、当該障子を組み立てる際の作業手順を特定の手順に限定する必要がなく、かつ、部品点数および工数を容易に低減させることができる。したがって、生産性の向上や生産コストの低減を図り易い。
【００６８】
また、請求項２記載の開口部装置は、少なくとも１枚の障子と、該障子が取り付けられるガイドレールを上枠および下枠に有する枠体とを備え、前記障子が、金属製の框本体の室内側表面を樹脂材で覆った複合框を有すると共に、前記複合框のうちの少なくとも１本の長手方向端部に固定されて該複合框を構成している框本体および樹脂材それぞれの長手方向端部を覆うコーナー部材を有する開口部装置であって、前記コーナー部材が、（１）見付け方向および見込み方向の移動を規制された状態で前記複合框の長手方向端部に仮固定することができる形状、（２）前記仮固定の後においても前記見付け方向へスライドすることを可能にする領域、および、（３）前記ガイドレールの厚さ方向への該障子の変位を抑制する振れ止め部を有し、前記複合框の長手方向端部を他の複合框にネジ止めする際に一緒にネジ止めすることが可能な開口部装置であるので、障子が単層構造であるか複層構造であるかに拘わらず、当該障子を組み立てる際の作業手順を特定の手順に限定する必要がなく、かつ、部品点数および工数を容易に低減させることができる。したがって、生産性の向上や生産コストの低減を図り易い。
【図面の簡単な説明】
【図１】図１（Ａ）は、本発明の一実施形態による開口部装置が閉められているときに当該開口部装置を室内側から正面視したときの概略図であり、図１（Ｂ）は、図１（Ａ）に示した内障子を室内側から正面視したときの概略図である。
【図２】図１（Ａ）に示した開口部装置を概略的に示す部分断面側面図である。
【図３】図１（Ａ）に示した開口部装置を構成している第２コーナー部材を概略的に示す斜視図であり、室内側右斜め上方から見たときのものである。
【図４】図１（Ａ）に示した開口部装置を構成している第２コーナー部材を概略的に示す斜視図であり、室外側左斜め上方から見たときのものである。
【図５】図１（Ａ）に示した開口部装置を構成している第２コーナー部材を召し合わせ框に仮固定したときの状態を概略的に示す部分断面上面図である。
【図６】図１（Ａ）に示した開口部装置を構成している召し合わせ框と下框とを弱く接続したときの第２コーナー部材の状態を概略的に示す部分断面上面図である。
【図７】図１（Ａ）に示した開口部装置を構成している召し合わせ框と下框とを接続したときの第２コーナー部材の状態を概略的に示す部分断面上面図である。
【図８】図１（Ａ）に示した開口部装置を構成している第１コーナー部材を概略的に示す斜視図である。
【符号の説明】
１０…枠体
２０、６０…障子
２１、６１…上框（複合框）
２２、６２…下框（複合框）
２２Ａ、２４Ａ…框本体
２２Ｂ、２４Ｂ…樹脂材
２３、６３…戸先框（複合框）
２４…召し合わせ框（複合框）
３０…第１コーナー部材
４０…第２コーナー部材
５５…可逆変形領域（コーナー部材の仮固定後に当該コーナー部材が見付け方向へスライドすることを可能にする領域）
５９Ａ…振れ止め部
６４…召し合わせ框
７０…開口部装置
【図１】
2004190279.tif 000003
【図２】
2004190279.tif 000004
【図３】
2004190279.tif 000005
【図４】
2004190279.tif 000006
【図５】
2004190279.tif 000007
【図６】
2004190279.tif 000008
【図７】
2004190279.tif 000009
【図８】
2004190279.tif 000010